(57)【要約】      （修正有）【課題】複数個所で点灯する人検知センサーライトを、低コストで提供する。【解決手段】本体ライトＡと単数又は複数の第二ライトＢで構成され、本体ライトＡが、商用電源からの電力供給を受け照明用ＤＣ電源を供給する電源部と、人検知センサーと、人検知センサーの検知に基づいて点灯制御する制御部と、ＬＥＤライト２１を備えた照明部（照明体２）と、照明部への電力供給回路から分岐した単数又は複数のソケット部とを備え、第二ライトＢが、照明部（ＬＥＤライト４１）と、ソケット部への接続可能な差込ジャックを設けた照明部への電力供給線５とを備えてなる。【選択図】図１
0003194814.tif 000002
【実用新案登録請求の範囲】
【請求項１】
本体ライトと単数又は複数の第二ライトで構成され、本体ライトが、商用電源からの電力供給を受け照明用ＤＣ電源を供給する電源部と、人検知センサーと、人検知センサーの検知に基づいて点灯制御する制御部と、ＬＥＤライトを備えた照明部と、前記照明部への電力供給回路から分岐した単数又は複数のソケット部とを備え、第二ライトが、照明部と、前記ソケット部への接続可能な差込ジャックを設けた照明部への電力供給線とを備えてなることを特徴とするセンサーライト。
【請求項２】
本体ライトが、電源部と制御部とソケット部を組み込んだ本体と、照明部を組み込んだ照明体と、人検知センサーを組み込んだセンサー体とで形成すると共に、適宜な連結部材で一体化して、壁面装着部を付設してなる請求項１記載のセンサーライト。
【請求項３】
第二ライトが、照明部を組み込んだ照明体に壁面装着部を付設してなる請求項２記載のセンサーライト。
【考案の詳細な説明】
【技術分野】
【０００１】
本考案は、防犯目的、玄関照明などに使用されている人検知センサーを備えたセンサーライトに関するものである。
【背景技術】
【０００２】
人検知センサーライトは、防犯や玄関照明として多用されている（特許文献１）。ところで、センサーライトは、単一箇所からの照明では不十分として、多数箇所に設置することが行われている。例えば車庫（駐車スペース）から玄関への通路に独立したセンサーライトを配置したり、主たるセンサーライトからの所定の制御信号を送り、各設置ライト（センサーを備えていない）の点灯制御を行う装置が知られている（特許文献２）。
【先行技術文献】
【特許文献】
【０００３】
【特許文献１】特開２００４−２２１０３８号公報。
【特許文献２】特開２０１０−３３８１２号公報。
【考案の概要】
【考案が解決しようとする課題】
【０００４】
各独立したセンサーライトを所望箇所に配置した場合には、防犯効果や照明効果の向上を図れるが、照明用電源は、各独立した電力供給（電源部）が必要である。特に近年はＬＥＤ照明を採用することによって、各設置センサーライトとして乾電池を組み込んだものを採用すると、照明用電源に関する煩瑣さを解消できるが、乾電池の交換や各設置ライトの全てにセンサーを備えることになり、コストの点で問題がある。また商用電源を使用する場合は、各設置ライトへの配線が必要であると共に、電源装置（ＤＣ電源）が必要であり、各ライトに付属するセンサーに代えて点灯制御信号の受信装置が必要となり、コストアップとなる。
【０００５】
そこで本考案は、複数個所での照明を低コストで実現できるセンサーライトを提供したものである。
【課題を解決するための手段】
【０００６】
本考案に係るセンサーライトは、本体ライトと単数又は複数の第二ライトで構成され、本体ライトが、商用電源からの電力供給を受け照明用ＤＣ電源を供給する電源部と、人検知センサーと、人検知センサーの検知に基づいて点灯制御する制御部と、ＬＥＤライトを備えた照明部と、前記照明部への電力供給回路から分岐した単数又は複数のソケット部とを備え、第二ライトが、照明部と、前記ソケット部への接続可能な差込ジャックを設けた照明部への電力供給線とを備えてなることを特徴とするものである。
【０００７】
従って本体ライトを、人検知によって点灯すべき個所に設置し、第二ライトを電力供給線の範囲内の所望箇所に設置し、本体ライトのソケット部に差込ジャックを接続すると、本体ライトの点灯・消灯に伴って第二ライトが点灯・消灯をなすものである。
【考案の効果】
【０００８】
本考案の構成は前記のとおりで、商用電源との接続は本体ライトのみでよく、第二ライトは、電源回路（ＡＣ―ＤＣ変換）もまた点灯制御回路も必要とせず、低コストで製造でき、複数配置の人検知センサーライトを低コストで実現できたものである。
【図面の簡単な説明】
【０００９】
【図１】本考案の実施形態を示す全体図。
【図２】同本体ライトの側面図。
【図３】同第二ライトの側面図。
【図４】同使用状態の説明図。
【図５】同システムブロック図。
【考案を実施するための形態】
【００１０】
次に本考案の実施形態について説明する。実施形態に示した人検知センサーライトは、本体ライトＡと第二ライト（単数を例示した）Ｂで構成される。
【００１１】
本体ライトＡは、ボックス状の本体１及び照明体２、及びセンサー体３を備えてなり、本体１は、商用電源の接続コード１１及びコンセント１２と、前面に照明体２を装着する枠板部１３を設けると共に、枠板部１３の背面部架設箇所に壁面装着部１４を形成し、下面にセンサー体３の吊下げ連結部１５を設けると共に、ソケット部１６を設けたものである。
【００１２】
本体１の内部には、一般的なセンサーライトと同様に、商用電源（ＡＣ電源）をＬＥＤ電源となる所定電圧のＤＣ電源に変換する電源部と、センサー体３から人検知信号を受けての照明部への電力供給、並びに人検知信号の非入力時から一定時間後に電力供給遮断のスイッチング（点灯制御）を行う制御部を備え、前記制御部から照明体２とソケット部１６への電力供給線を備えたものである。
【００１３】
照明体２は、正面に多数のＬＥＤライト２１を配列したもので、前記本体１の側面から延設された枠板部１３に、所望角度で固定できるように装着したものである。
【００１４】
センサー体３は、例えば赤外線センサーのような適宜な人検知センサー３１を備え、本体１の吊下げ連結部１５に上下角度を任意に設定して固定するようにしたものである。
【００１５】
第二ライト体Ｂは、前記の本体ライトＡの照明体２と同様で、本体４の正面に多数のＬＥＤライト４１を配列し、前記本体４の側面から後方に延設した壁面装着腕部４２を設けてなり、前記本体４には、前記ＬＥＤライト４１にＤＣ電力を供給する電力供給線５を適宜長さ（例えば１５ｍ程度）を設け、電力供給線５の端部には、差込ジャック５１を設けてなるものである。
【００１６】
而して前記の人検知センサーライトは、図４に例示するように、本体ライトＡを人検知対象箇所（例えば駐車スペースの壁面）に設置し、第二ライトＢを離れた個所（例えば玄関）に設置しておき、コンセント１２を商用電源Ｃに差し込み、差込ジャック５１をソケット部１６に装着しておくものである。
【００１７】
従って人Ｄが本体ライトＡのセンサー範囲に侵入して、センサー体３が人検知すると、本体ライトＡが点灯し、同時に第二ライトＢも点灯する。
【００１８】
更に人Ｄがセンサー範囲外に遠のいても、一定時間本体ライトＡ及び第二ライトが点灯を継続しているので、人Ｄが第二ライトＢの前に至っても点灯が継続し、例えば玄関前を照らし続けることになる。そして本体ライトＡが消灯すると、同時に第二ライトＢも消灯するものである。
【符号の説明】
【００１９】
Ａ    本体ライト
１      本体
１１    接続コード
１２    コンセント
１３    枠板部
１４    壁面装着部
１５    吊下げ連結部
１６    ソケット部
２      照明体
２１    ＬＥＤライト
３      センサー体
３１    人検知センサー
Ｂ    第二ライト
４      本体
４１    ＬＥＤライト
４２    壁面装着腕部
５      電源供給線
５１    差込ジャック
Ｃ    商用電源
Ｄ    人
【図１】
0003194814.tif 000003
【図２】
0003194814.tif 000004
【図３】
0003194814.tif 000005
【図４】
0003194814.tif 000006
【図５】
0003194814.tif 000007